(57)【要約】【課題】  配管支持具を吊りボルトへ取り付けるための取付構造に関し、極めてシンプルな構造であるが、信頼性・安全性を有しながらも、操作性に優れた実用性のある取付構造を提供することにある。【解決手段】  配管５０を支持するための略Ｕ字形の配管支持具４０は、取付構造１０によって吊りボルト３０へ取り付けられる。この取付構造１０は、帯体を略Ｍ字形に折板した弾性作用を有する取付本体１１からなり、この取付本体１１には、垂下する吊りボルト３０を挿通するための挿通孔１２，１２，…を複数設けている。そして、この挿通孔１２，１２，…に吊りボルト３０のネジ部を係止させることで、配管支持具４０を吊り金具３０に取り付けるものである。【選択図】  図１
2008208876.tif 000002
【特許請求の範囲】
【請求項１】
配管支持具を吊り部材へ取り付けるための取付構造であって、
配管支持具の一部又は別部材となっており、弾性作用を有する取付本体に、
吊り部材の長手方向へ対して複数設けられた吊り部材を挿通するための挿通孔と、外力によって挿通孔を可動させるための可動片とを備え、
可動片を用いて挿通孔を可動し挿通孔を吊り部材の挿通方向に一致させて吊り部材を挿通可能にするとともに、可動片への外力を取り去った後の弾性作用によって挿通した吊り部材へ挿通孔を係止させることを特徴とする配管支持具の取付構造。
【請求項２】
取付本体は、折板形状をした帯体であることを特徴とする請求項１記載の配管支持具の取付構造。
【請求項３】
挿通孔には、吊り部材を水平方向から挿通可能とするように、水平方向の開口部を有することを特徴とする請求項１又は２記載の配管支持具の取付構造。
【請求項４】
挿通孔は、多角形状に形成されていることを特徴とする請求項１から３のいずれかに記載の配管支持具の取付構造。
【請求項５】
挿通孔の開口部には、挿通した吊り部材の抜脱を防止するための返しを有することを特徴とする請求項３又は４記載の配管支持具の取付構造。
【請求項６】
挿通孔の吊り部材と当接する当接部分を折曲片としたことを特徴とする請求項１から５のいずれかに記載の配管支持具の取付構造。
【請求項７】
挿通孔の吊り部材と当接する当接部分をボルト状吊り部材の溝部へ食い込み可能に加工されていることを特徴とする請求項１から６のいずれかに記載の配管支持具の取付構造。
【請求項８】
可動片は、吊り部材の長手方向へ対して最上部および最下部に設けられた各挿通孔に連接するように形成されることを特徴とする請求項１から７のいずれかに記載の配管支持具の取付構造。
【請求項９】
取付本体が、配管支持具に対して回動自在に可動することを特徴する請求項１から８のいずれかに記載の配管支持具の取付構造。
【発明の詳細な説明】
【技術分野】
【０００１】
本発明は、配管支持具を吊りボルトへ取り付けるための取付構造に関するものである。
【背景技術】
【０００２】
電気設備や空調設備等の配管工事に際しては、垂直に吊り下げられた吊り部材（例：吊りボルト）に配管支持具を取り付けて配管施工されることがある。
そして、従来、この吊り部材へ配管支持具を取り付ける取付構造には、種々のものが存在している（例えば、特許文献１，特許文献２などを参照）。
【０００３】
【特許文献１】実開平０６−０８８８２号公報
【特許文献２】特開平１０−２６２６３号公報
【発明の開示】
【発明が解決しようとする課題】
【０００４】
しかし、上記特許文献１にあっては、以下のような問題点があった。
（１）２箇所ある切欠係止部１Ａ，１Ａによって吊りボルトＰに係止されるが、一方の切欠係止部１Ａの係止状態が解除された場合、他方の切欠係止部１Ａの係止状態も解除されることとなり、支持体２を吊りボルトＰから落下させる危険性が残る。
（２）切欠係止部１Ａと吊りボルトＰの係止を確実にするために、切欠係止部１Ａの角度を吊りボルトＰに対して鋭角にして取り付けることが必要であり、自ずと固定具１の長さ（補強片１Ｅ間の幅）が長くなって、操作性に課題が残る。また、鋭角であるために、切欠係止部１ＡがボルトＰの溝に浅く係止しているか、又は押圧しているに過ぎず、係止の確実性に課題が残る。
【０００５】
また、上記特許文献２にあっては、以下のような問題点があった。
（１）中央の突出片３とその上下両端の掛止片４，４とで吊りボルトＡに掛止する構造であるため、吊りボルトＡに固定した場合の位置決めの微調整が難しいという課題が残る。
（２）特許文献１と同様に、金具本体１の長さ（掛止片４間の幅）が長くなって、操作性に課題が残る。
【０００６】
そして、本発明者は、上記問題点を解決し、極めてシンプルな構造であるが、信頼性・安全性を有しながらも、操作性に優れた実用性のある取付構造の提供を目的とし、本発明を完成するに至った。
【課題を解決するための手段】
【０００７】
本発明者が完成した発明は、以下の通りである。
第１の発明は、配管支持具を吊り部材へ取り付けるための取付構造であって、配管支持具の一部又は別部材となっており、弾性作用を有する取付本体に、吊り部材の長手方向へ対して複数設けられた吊り部材を挿通するための挿通孔と、外力によって挿通孔を可動させるための可動片とを備え、可動片を用いて挿通孔を可動し挿通孔を吊り部材の挿通方向に一致させて吊り部材を挿通可能にするとともに、可動片への外力を取り去った後の弾性作用によって挿通した吊り部材へ挿通孔を係止させることを特徴とするものである。
第２の発明は、取付本体が、折板形状をした帯体であることを特徴とするものである。
第３の発明は、挿通孔が、吊り部材を水平方向から挿通可能とするように、水平方向の開口部を有することを特徴とするものである。
第４の発明は、挿通孔が、多角形状に形成されていることを特徴とするものである。
第５の発明は、挿通孔の開口部が、挿通した吊り部材の抜脱を防止するための返しを有することを特徴とするものである。
第６の発明は、挿通孔の吊り部材と当接する当接部分を折曲片としたことを特徴とするものである。
第７の発明は、挿通孔の吊り部材と当接する当接部分をボルト状吊り部材の溝部へ食い込み可能に加工されていることを特徴とするものである。
第８の発明は、可動片が、吊り部材の長手方向へ対して最上部および最下部に設けられた各挿通孔に連接するように形成されることを特徴とするものである。
第９の発明は、取付本体が、配管支持具に対して回動自在に可動することを特徴するものである。
【発明の効果】
【０００８】
上記発明によれば、以下のような効果を有する。
（１）可動片を用いて挿通孔を可動し挿通孔を吊り部材の挿通方向に一致させて吊り部材を挿通可能にするとともに、可動片への外力を取り去った後の弾性作用によって挿通した吊り部材へ挿通孔を係止させることで、極めて簡易に配管支持具を吊り部材に取り付けることができる。また、取付本体の弾性作用を利用しているので、極めて確実に配管支持具を吊り部材に取り付けることができる。
（２）取付本体が、折板形状をした帯体であることで、取付構造を極めてシンプルな構造にでき、部品点数もこの取付本体のみで済む。
（３）挿通孔が、吊り部材を水平方向から挿通可能とするように、水平方向の開口部を有することで、吊り部材への配管支持具の取り付けが非常に容易になる。
（４）挿通孔が、多角形状に形成されていることで、挿通孔と吊り部材の係合がより確実になる。
（５）また、挿通孔の開口部が、挿通した吊り部材の抜脱を防止するための返しを有することで、吊り部材への配管支持具の取り付けが非常に確実になる。
（６）挿通孔の吊り部材と当接する当接部分を折曲片としたことで、挿通孔と吊り部材の係合がより確実なものとなる。すなわち、折曲片の角度によって、吊り部材への押圧作用や掛止作用を生じる。
（７）挿通孔の吊り部材と当接する当接部分をボルト状吊り部材の溝部へ食い込み可能に加工されていることで、挿通孔と吊り部材の係合がより確実になる。
（８）可動片が、吊り部材の長手方向へ対して最上部および最下部に設けられた各挿通孔に連接するように形成されることで、親指とその他の指（例えば、人差し指と中指）とで、この上下に位置する可動片へ外力を与えることができ、片手での操作可能な操作性に優れたものとなる。
（９）取付本体が、配管支持具に対して回動自在に可動することで、様々な状況に対応することができる。例えば、傾斜している吊り部材に対しても配管支持具を取り付けることが可能になり、また、垂下している吊り部材に対して傾斜させた配管を支持する配管支持具を取り付けることが可能になる。
【発明を実施するための最良の形態】
【０００９】
本発明の実施形態を図面に基づいて説明する。
図１は、本発明に係る取付構造の第１実施形態を示した説明図である。
図１に示すように、屋内に敷設される配管５０，５０を支持するための略Ｕ字形の配管支持具４０は、取付構造１０によって吊りボルト３０へ取り付けられる。この取付構造１０は、配管支持具４０の一部（取付部）であってもよいし、配管支持具４０に着脱自在な別部材（取付部材）であってもよい。
【００１０】
取付構造１０は、帯体を略Ｍ字形に折板した弾性作用を有する取付本体１１からなり、この取付本体１１には、垂下する吊りボルト３０を挿通するための挿通孔１２，１２，…を複数設けている。そして、この挿通孔１２，１２，…に吊りボルト３０のネジ部を係止させることで、配管支持具４０を吊り金具３０に取り付けるものである。また、取付本体１１と配管支持具４０との間に、接続板４１を介在させている。この接続板４１があることで、配管支持具４０による配管５０，５０の支持が確実になるからである。なお、取付本体１１はその接続板４１と上下２面において当接しているが、上下一方の当接面のみ固定具４２，４２（リベット）によって固定している。すなわち、一方の当接面は、非固定になっている。こうすることで、取付本体１１の可動範囲が広がり、操作性が向上するからである。
【００１１】
次に、図２を用いて、本発明に係る取付構造の使用方法を説明する。
まず、図２（Ａ）に示すように、取付構造１０は、挿通孔１２，１２，…が、吊りボルト３０を水平方向から挿通可能とするように、水平方向の開口部１３を有している。
【００１２】
次に、図２（Ｂ）に示すように、取付構造１０は、その両端にあって挿通孔１２に連接するように形成された可動片１５，１５へ外力を加え（詳しくは、親指と人差し指を使用して内向きに外力を加える）、挿通孔１２，１２を可動させる。そして、取付本体１１に設けられた挿通孔１２，１２，…を吊りボルト３０の挿通方向に一致させて吊りボルト３０を挿通可能にした状態で、吊りボルト３０を挿通する。
【００１３】
最後に、図２（Ｃ）に示すように、吊りボルト３０が挿通を完了した後で、可動片１５への外力を取り去ると、取付本体１１の弾性作用が生じて可動片１５が元に戻り、それに応じて可動片１５に連接する挿通孔１２も元の位置に戻る。そして、各挿通孔１２において吊りボルト３０のネジ部と係止状態になる（部分平面図ｃ１〜ｃ４を参照のこと）。
このとき、挿通孔１２の開口部１３が、挿通した吊りボルト３０の抜脱を防止するための返し１４を有するとよい。
【００１４】
また、吊りボルト３０から、取付本体１１を外す場合には、上記図２の操作と逆の操作をすれば、容易に取付本体１１を吊りボルト３０から外すことができる。
【００１５】
以上のような取付構造１０であれば、極めてシンプルな構造でありながら、容易に吊りボルト３０への配管用支持具４０の取り付け・取り外しが可能となり、また、吊りボルト３０へ確実に配管用支持具４０を取り付けることができる。特に、片手で吊りボルト３０への取り付け・取り外し作業を可能とするのが非常に有効である。また、吊りボルト３０に対する配管支持具４０の位置決め調整も片手で簡単に行うことができる。
なお、本発明に係る取付構造は、上記取付構造１０に限定されるものではない。
【００１６】
図３は、本発明に係る取付構造の第２実施形態を示した説明図である。
図１に示す第１実施形態と異なる点は、図３（Ａ）の場合、取付本体１１を接続板４１と上下２面において当接及び固定させたことである。また、図３（Ｂ）の場合、取付本体１１と配管支持具４０との間に、接続板４１を介在させておらず、取付本体１１と配管支持具４０を直接に接続させていることである。それ以外の点は第１実施形態の場合と同様である。
【００１７】
また、図４に示すように、接続板４１を介して取付本体１１が、配管支持具４０に対して回動自在に可動することで、傾斜している吊りボルト３０に対しても配管支持具４０を取り付けることが可能になる。また、図示省略するが、垂下している吊りボルトに対して傾斜させた配管を支持する配管支持具を取り付けることも可能になる。
【００１８】
図５は、本発明に係る取付構造の第３実施形態を示した説明図である。
図５（Ａ）（Ｂ）に図示するように、取付本体１１の可動片１５に「ＰＵＳＨ」等の文字を入れても良いし、凹凸形状等の滑り止めを設けてもよい。
また、挿通部１２の反開口部側１６を補強すべく、補強凹部１７や垂下させた補強片１８を設けてもよい。
【００１９】
図６は、本発明に係る取付構造の第４実施形態を示した説明図である。
図６に示すように、取付本体１１の内側に位置する挿通孔１２，１２に、吊りボルト３０と当接する当接部分を折曲片１９，１９としている。これによって、挿通孔１２と吊りボルト３０の係合がより確実なものとなる。例えば、折曲片１９の角度が吊りボルト３０の長手方向に対してフラットであれば押圧作用が生じさせ、垂直に近ければ掛止作用を生じさせる。
なお、取付本体１１のＶ字形折曲部２０に形成されている穿孔２１は、取付本体１１の弾性作用を維持しつつ加工性を向上するために設けられたものである。
【００２０】
また、図５（Ａ）に図示しているが、取付本体１１の挿通孔１２の吊りボルト３０と当接する当接部分を吊りボルト３０の溝部へ食い込み可能に加工２２（切削加工や絞り加工等）するとよい。挿通孔１２と吊りボルト３０との係合がより確実になるからである。
【産業上の利用可能性】
【００２１】
本発明は、配管支持具を吊りボルトへ取り付けるための取付構造として広く利用できるものである。
【図面の簡単な説明】
【００２２】
【図１】本発明に係る取付構造の第１実施形態を示した説明図。
【図２】本発明に係る取付構造の使用方法を示した説明図。
【図３】本発明に係る取付構造の第２実施形態を示した説明図（その１）。
【図４】本発明に係る取付構造の第２実施形態を示した説明図（その２）。
【図５】本発明に係る取付構造の第３実施形態を示した説明図である。
【図６】本発明に係る取付構造の第４実施形態を示した説明図である。
【符号の説明】
【００２３】
１０  取付構造    １１  取付本体    １２  挿通孔    １３  開口部    １４  返し
１５  可動片      １６  反開口部側  １７  補強凹部  １８  補強片
１９  折曲片      ２０  Ｖ字形折曲部    ２１  穿孔    ２２  加工
３０  吊りボルト
４０  配管支持具  ４１  接続板    ４２  固定具
５０  配管
【図１】
2008208876.tif 000003
【図２】
2008208876.tif 000004
【図３】
2008208876.tif 000005
【図４】
2008208876.tif 000006
【図５】
2008208876.tif 000007
【図６】
2008208876.tif 000008